【誤訳訂正書】
【提出日】平成30年11月22日(2018.11.22)
【誤訳訂正１】
【訂正対象書類名】特許請求の範囲
【訂正対象項目名】全文
【訂正方法】変更
【訂正の内容】
【特許請求の範囲】
【請求項１】
幾何学的流体集束のために構成される粒子分析システムを使用して粒子を撮像するための方法であって、前記粒子が体液試料内に含まれ、前記方法が、
前記粒子分析システムのフローセルの流路に沿ってシース液を注入することと、
試料流体注入管に隣接する第１の厚さを有する試料流れストリームを提供するように、前記体液試料を前記試料流体注入管からある流量で前記フローセル内を流れる前記シース液に注入することであって、前記試料流れストリームの厚さが前記第１の厚さから、画像捕捉部位に隣接する第２の厚さに縮小するように、前記フローセルの前記流路が流路サイズの縮小部を有する、前記体液試料を注入することと、
前記フローセルに対して固定された位置を有する撮像目標を撮像することによって、画像捕捉デバイスを焦点化することであって、前記撮像目標及び試料流れストリームが撮像軸に沿う既定の変位距離を画定する、画像捕捉デバイスを焦点化することと、
前記画像捕捉デバイスを用いて、前記試料流れストリーム内で、粒子特徴付け及び計数に好適な、前記フローセルの前記画像捕捉部位における、前記撮像軸に沿った、前記体液試料からの第１の複数の粒子の焦点画像を取得することであって、前記画像捕捉デバイスが、前記焦点化工程及び前記既定の変位距離を使用して、前記試料流れストリーム上に焦点化される、前記体液試料からの第１の複数の粒子の焦点画像を取得することと、を含み、
前記流路サイズの縮小部が、近位厚さを有する近位流路部分、及び前記近位厚さよりも小さい遠位厚さを有する遠位流路部分によって画定され、
前記試料流体注入管の下流端が、前記近位流路部分の遠位に位置付けられ、
前記シース液と体液試料との間の速度差異が、前記流路サイズの縮小部及び前記体液試料の流量との組み合わせで、前記試料流体注入管から前記画像捕捉部位に前記体液試料内の細胞を４秒以内で送達することに効果的である、方法。
【請求項２】
前記体液試料が、尿流体試料である、請求項１に記載の方法。
【請求項３】
前記体液試料が、前記試料流体注入管の出口ポートから前記画像捕捉部位の前記撮像軸まで約１．５秒で移動する、請求項１に記載の方法。
【請求項４】
前記流路サイズの縮小部が、前記試料流れストリームの第１及び第２の厚さを二等分する横断面について、略対称的な、前記流路に沿って放射状に内向きに角度が付いた、前記流路の対向壁によって画定される、請求項１に記載の方法。
【請求項５】
前記フローセルが、シース液供給源から、前記画像捕捉部位の前記流路に沿う前記シース液の第２の流れ方向に垂直な第１の流れ方向において、前記流路へと前記シース液を受容するように構成される、請求項１に記載の方法。
【請求項６】
前記撮像目標が、前記フローセル上に固定される、請求項１に記載の方法。
【請求項７】
前記体液試料が試料粘性を有し、前記シース液が前記試料粘性とは異なるシース液粘性を有する、請求項１に記載の方法。
【請求項８】
体液試料内の粒子を撮像するための、幾何学的流体集束を行う、粒子分析システムであって、
シース液の流れを送るために構成される流路を有するフローセルと、
前記流路と流体連通する試料流体注入システムであって、前記試料流体注入システムは、前記試料流体注入システムに隣接する第１の厚さを有する試料流体ストリームを提供するように、前記体液試料を前記フローセル内を流れる前記シース液に注入するために構成され、前記試料流体ストリームの厚さが前記第１の厚さから画像捕捉部位に隣接する第２の厚さに縮小するように、前記フローセルの前記流路が、流路サイズの縮小部を有する、試料流体注入システムと、
前記フローセルの前記画像捕捉部位において、前記体液試料からの複数の前記粒子を撮像するように、前記画像捕捉部位と整列する、画像捕捉デバイスと、
前記フローセルに対する、前記画像捕捉デバイスの焦点を設定するように構成される、焦点化機構と、
前記フローセルに対して固定された位置を有する撮像目標であって、前記撮像目標及び試料流体ストリームが、撮像軸に沿う変位距離を画定する、撮像目標と、
プロセッサと、
前記変位距離を使用して、粒子特徴付け及び計数に好適な、前記画像捕捉デバイスの前記焦点を設定するように、前記焦点化機構を操作するために、前記プロセッサ上で実行される機械可読コードを組み入れる有形媒体を備える焦点化モジュールと、を備え、
前記体液試料が、約２〜４秒の範囲内の前記フローセルを通る移行時間を有するように、前記試料流体注入システムが、前記体液試料を送達するように構成される、システム。
【請求項９】
前記体液試料が、尿流体試料である、請求項８に記載のシステム。
【請求項１０】
前記流路サイズの縮小部が、前記試料流体ストリームの第１及び第２の厚さを二等分する横断面について、略対称的な、前記流路に沿って放射状に内向きに角度が付いた、前記流路の対向壁によって画定される、請求項８に記載のシステム。
【請求項１１】
前記フローセルが、シース液供給源から、前記画像捕捉部位の前記流路に沿う前記シース液の第２の流れ方向に垂直な第１の流れ方向において、前記流路へと前記シース液を受容するように構成される、請求項８に記載のシステム。
【請求項１２】
前記撮像目標が、前記フローセル上に固定される、請求項８に記載のシステム。
【請求項１３】
前記体液試料が試料粘性を有し、前記シース液が前記試料粘性とは異なるシース液粘性を有する、請求項８に記載のシステム。
【請求項１４】
幾何学的流体集束のために構成される粒子分析システムを使用して体液試料内の粒子を撮像するための方法であって、前記粒子が、試料流体粘性を有する前記体液試料に含まれ、前記方法が、
前記体液試料が、流れストリーム厚さよりも大きい流れストリーム幅を有する試料流れストリーム内で流れるように、前記体液試料をフローセルに注入することであって、前記試料流れストリームが、流路サイズの縮小部を通って流れ、撮像軸を横断する、前記体液試料を注入することと、
視野を有する画像捕捉デバイスを焦点化することであって、前記焦点化することは、撮像目標を撮像することによって行われ、前記撮像目標は、前記画像捕捉デバイスの前記視野内に前記フローセルに対して固定された位置を有する、ことと、
前記画像捕捉デバイスを用いて、前記試料流れストリーム内で、粒子特徴付け及び計数に好適な、前記粒子の焦点画像を取得することと、を含み、前記画像捕捉デバイスが、変位距離を使用して前記試料流れストリーム上に焦点化される、方法。
【請求項１５】
前記体液試料が、尿試料である、請求項１４に記載の方法。
【請求項１６】
体液試料内の粒子を撮像するための、幾何学的流体集束を行う、粒子分析システムであって、
注入管を伴う流路及びそこを通る撮像軸を伴う撮像窓を有するフローセルであって、前記フローセルの前記流路が流路サイズの縮小部を有する、フローセルと、
前記注入管と流体連通する流体インプットであって、前記体液試料が、流れストリーム厚さよりも大きい流れストリーム幅を有する試料流れストリーム内を流れるように、前記体液試料をフローセルに注入するように構成される、流体インプットと、
画像捕捉デバイスと、
前記フローセルに対する、前記画像捕捉デバイスの焦点を設定するように構成される、焦点化機構と、
前記フローセルに対して固定された位置を有する撮像目標であって、前記撮像目標及び試料流れストリームが、前記撮像軸に沿う変位距離を画定する、撮像目標と、
プロセッサと、
前記変位距離を使用して、粒子特徴付け及び計数に好適な、前記画像捕捉デバイスの前記焦点を設定するように、前記焦点化機構を操作するために、前記プロセッサ上で実行される機械可読コードを組み入れる有形媒体を備える焦点化モジュールと、を備える、システム。
【請求項１７】
前記体液試料が、尿試料である、請求項１６に記載のシステム。
【請求項１８】
複合した粘性及び幾何学的流体集束のために構成される粒子分析システムを使用して複数の粒子を撮像するための方法であって、前記粒子が、試料流体粘性を有する体液試料に含まれ、前記方法が、
フローセルの流路に沿ってシース液を流すことであって、前記シース液が、既定の粘性差異範囲内の粘性差異で前記試料流体粘性とは異なるシース液粘性を有する、シース液を流すことと、
前記シース液に包まれた試料流体ストリームを提供するように、前記体液試料を前記フローセル内の前記流れるシース液に注入することと、
前記粘性差異に関連する、前記シース液と前記試料流体ストリームとの間の相互作用によって誘発される粘性流体集束効果が、流路サイズの縮小部に関連する、前記シース液と前記試料流体ストリームとの間の相互作用によって誘発される幾何学的流体集束効果との組み合わせで、前記シース液内の粘性剤が、前記試料流体ストリーム内の細胞の生存能を保持し、前記細胞が前記試料流体ストリームから前記流れるシース液に伸びる際に、前記細胞の構造及び内容物を無傷のままにする一方で、撮像部位での前記複数の粒子のうちの少なくともいくつかにおける目標撮像状態を提供することに効果的となるように、前記試料流体ストリーム及び前記シース液を前記流路サイズの縮小部を通して前記撮像部位に向かって流すことと、
視野を有する画像捕捉デバイスを焦点化することであって、前記焦点化することは、撮像目標を撮像することによって行われ、前記撮像目標は、前記画像捕捉デバイスの前記視野内に前記フローセルに対して固定された位置を有し、前記画像捕捉デバイスは、変位距離を使用して、前記試料流体ストリーム上に焦点化される、ことと、
前記撮像部位にて前記複数の粒子を撮像することと、を含む、方法。
【請求項１９】
前記体液試料が、尿試料である、請求項１８に記載の方法。
【請求項２０】
試料流体粘性を有する体液試料内の複数の粒子を撮像するためのシステムであって、前記システムが、既定の粘性差異範囲内の粘性差異で前記試料流体粘性とは異なるシース液粘性を有するシース液との使用のためのものであり、前記システムが、
流路及び試料流体注入管を有する、フローセルであって、前記流路が、流路サイズの縮小部を有する、フローセルと、
前記シース液の流れを前記フローセルの前記流路に沿って送るように、前記フローセルの前記流路と流体連通する、シース液インプットと、
前記シース液及び前記体液試料が、前記流路サイズの縮小部を通って撮像部位に向かって流れる際に、前記粘性差異に関連する、前記シース液と前記体液試料との間の相互作用によって誘発される、粘性流体集束効果が、前記流路サイズの縮小部に関連する、前記シース液と前記体液試料との間の相互作用によって誘発される、幾何学的流体集束効果との組み合わせで、前記シース液内の粘性剤が、試料流体ストリーム内の細胞の生存能を保持し、前記細胞が前記試料流体ストリームから前記流れるシース液に伸びる際に、前記細胞の構造及び内容物を無傷のままにする一方で、前記撮像部位にて前記複数の粒子のうちの少なくともいくつかにおいて目標撮像状態を提供するように、前記体液試料の流れを、前記フローセル内を流れる前記シース液に注入するように、前記フローセルの前記試料流体注入管と流体連通する、体液試料インプットと、
前記撮像部位にて前記複数の粒子を撮像する撮像デバイスであって、前記撮像デバイスは、視野を有する、撮像デバイスと、
前記撮像デバイスの前記視野内に前記フローセルに対して固定された位置を有する撮像目標であって、前記撮像デバイスは、変位距離を使用して、前記試料流体ストリーム上に焦点化される、撮像目標と
を備える、システム。
【請求項２１】
前記体液試料が、尿試料である、請求項２０に記載のシステム。
【誤訳訂正２】
【訂正対象書類名】明細書
【訂正対象項目名】００２２
【訂正方法】変更
【訂正の内容】
【００２２】
一態様では、本発明の実施形態は、粒子分析システムを使用して粒子を撮像するための方法を包含する。いくつかの場合では、該システムは、幾何学的流体集束のために構成される。粒子は、体液試料内に含まれ得る。例示的な方法は、粒子分析器のフローセルの流路に沿ってシース液を注入することと、注入管に隣接する第１の厚さを有する試料流れストリームを提供するように、体液試料を試料流体注入管からある流量でフローセル内の流れるシース液に注入することであって、試料流れストリームの厚さが初期厚さから画像捕捉部位に隣接する第２の厚さに縮小するように、フローセルの流路が流路サイズの縮小部を有する、体液試料を注入することと、前記フローセルに対して固定された位置を有する撮像目標を撮像することによって、画像捕捉デバイスを焦点化することであって、撮像目標及び試料流れストリームが撮像軸に沿う既定の変位距離を画定する、画像捕捉デバイスを焦点化することと、画像捕捉デバイスを用いて、流れストリーム内で、粒子特徴付け及び計数に好適な、フローセルの画像捕捉部位における、撮像軸に沿った、第１の試料からの第１の複数の粒子の焦点画像を取得することと、を含み、画像捕捉デバイスは、焦点化工程及び既定の変位距離を使用して、試料流れストリーム上に焦点化される。流路サイズの縮小部は、近位厚さを有する近位流路部分及び近位厚さよりも小さい遠位厚さを有する遠位流路部分によって画定され得る。試料流体注入管の下流端は、近位流路部分の遠位に位置付けられ得る。シースと血液流体試料との間の速度差異は、流路サイズの縮小部及び試料の流量との組み合わせで、試料内の細胞を、試料流体注入管から画像捕捉部位まで、４秒以下で送達することに効果的であり得る。いくつかの場合では、体液試料は、尿流体試料である。いくつかの場合では、画像捕捉部位は、約８００μｍ×８００μｍの視野を有する。いくつかの場合では、試料流体は、約９００μＬの容積を有する。いくつかの場合では、試料流体は、試料流体注入管の出口ポートから画像捕捉部位の撮像軸まで約１．５秒で移動する。いくつかの場合では、流路サイズの縮小部は、試料流体ストリームを第１及び第２の厚さに二等分する横断面について、略対称的な、流路に沿って放射状に内向きに角度が付いた流路の対向壁によって画定される。いくつかの場合では、フローセルは、シース液供給源から、撮像部位の流路に沿うシース液の第２の流れ方向に垂直な第１の流れ方向において、流路へとシース液を受容するように構成される。いくつかの場合では、フローセルは、画像捕捉デバイスの自動焦点目標を含む。いくつかの場合では、自動焦点目標は、フローセルに対して固定された位置にあり得る。いくつかの場合では、体液試料は、試料粘性を有し、シース液は、試料粘性とは異なるシース液粘性を有する。
【誤訳訂正３】
【訂正対象書類名】明細書
【訂正対象項目名】００２３
【訂正方法】変更
【訂正の内容】
【００２３】
別の態様では、本発明の実施形態は、体液試料内の粒子を撮像するための、幾何学的流体集束を行う粒子分析システムを包含する。例示的なシステムは、シース液の流れを送るように構成される流路を有するフローセルを含み得、試料流体注入システムは、該流路と流体連通し、注入管に隣接する第１の厚さを有する試料流体ストリームを提供するように、該試料をフローセル内の流れるシース液に注入するように構成され、フローセルの該流路は、試料流体ストリームの厚さが初期厚さから画像捕捉部位に隣接する第２の厚さに縮小するように、流路サイズの縮小部を有する。システムはまた、フローセルの画像捕捉部位において、試料流体からの複数の粒子を撮像するように、画像捕捉部位と整列する画像捕捉デバイスも含み得、焦点化機構は、フローセルに対する画像捕捉デバイスの焦点状態を設定するように構成され、撮像目標は、フローセルに対して固定された位置を有する。撮像目標及び試料流れストリームは、撮像軸に沿う変位距離を画定し得る。システムはまた、プロセッサと、変位距離を使用して、粒子特徴付け及び計数に好適な、画像捕捉デバイスの焦点状態を設定するように、焦点化機構を操作するために、プロセッサ上で実行される機械可読コードを組み入れる有形媒体を有する焦点化モジュールと、も含み得る。いくつかの場合では、試料流体注入システムは、試料流体が約２〜４秒の範囲内のフローセルを通る移行時間を有するように、試料流体を送達するように構成される。いくつかの場合では、体液試料は、尿流体試料である。いくつかの場合では、画像捕捉部位は、約８００μｍ×８００μｍの視野を有する。いくつかの場合では、試料流体は、約９００μＬの容積を有する。いくつかの場合では、流路サイズの縮小部は、試料流体ストリームを第１及び第２の厚さに二等分する横断面について、略対称的な、流路に沿って放射状に内向きに角度が付いた流路の対向壁によって画定される。いくつかの場合では、フローセルは、シース液供給源から、撮像部位の流路に沿うシース液の第２の流れ方向に垂直な第１の流れ方向において、流路へとシース液を受容するように構成される。いくつかの場合では、フローセルは、画像捕捉デバイスの自動焦点目標を含む。いくつかの場合では、自動焦点目標は、フローセルに対して固定された位置を有する。いくつかの場合では、体液試料は、試料粘性を有し、シース液は、試料粘性とは異なるシース液粘性を有する。
【誤訳訂正４】
【訂正対象書類名】明細書
【訂正対象項目名】００２４
【訂正方法】変更
【訂正の内容】
【００２４】
別の態様では、本発明の実施形態は、幾何学的流体集束のために構成される粒子分析システムを使用して、体液試料内の粒子を撮像するための方法を包含する。粒子は、流体試料内に含まれ得、流体試料は、試料流体粘性を有する。例示的な方法は、流体試料流体が試料流れストリーム内を流れストリーム厚さよりも大きい流れ厚さ幅で流れるように、流体試料をフローセルに注入することであって、試料流れストリームは、流路サイズの縮小部を通って流れ、撮像軸を横断する、注入することと、フローセルに対して固定された位置を有する撮像目標を撮像することにより画像捕捉デバイスを焦点化することと、画像捕捉デバイスを用いて流れストリーム内で粒子特徴付け及び計数に好適な粒子の焦点画像を取得することとを含み、画像捕捉デバイスは、変位距離を使用して試料流れストリーム上に焦点化される。いくつかの場合では、体液試料は、尿試料である。
【誤訳訂正５】
【訂正対象書類名】明細書
【訂正対象項目名】００２５
【訂正方法】変更
【訂正の内容】
【００２５】
別の態様では、本発明の実施形態は、体液試料内の粒子を撮像するように、幾何学的流体集束を行う粒子分析システムを包含する。例示的なシステムは、注入管を伴う流路及びそこを通る撮像軸を伴う撮像窓を有する、フローセルであって、フォローセルの流路が、流路サイズの縮小部を有する、フローセルと、感染管と流体連通する流体インプットであって、流体試料が、流れストリーム厚さよりも大きい流れストリーム幅を有する試料流れストリーム内を流れるように、流体試料をフローセルに注入するように構成される、流体インプットと、画像捕捉デバイスと、フローセルに対して画像捕捉デバイスの焦点状態を設定するように構成される焦点化機構と、フローセルに対して固定された位置を有する撮像目標であって、撮像目標及び試料流れストリームが、撮像軸に沿う変位距離を画定する、撮像目標と、プロセッサと、変位距離を使用して、粒子特徴付け及び計数に好適な、画像捕捉デバイスの焦点状態を設定するように、焦点化機構を操作するために、プロセッサ上で実行される機械可読コードを組み入れる有形媒体を有する焦点化モジュールと、を含み得る。いくつかの実施形態では、体液試料は、尿試料である。
【誤訳訂正６】
【訂正対象書類名】明細書
【訂正対象項目名】００２６
【訂正方法】変更
【訂正の内容】
【００２６】
別の態様では、本発明の実施形態は、複合した粘性及び幾何学的流体集束のために構成される粒子分析システムを使用して、複数の粒子を撮像するための方法を包含する。粒子は、試料流体粘性を有する体液試料内に含まれ得る。例示的な方法は、試料流体粘性とは既定の粘性差異範囲内の粘性差異で異なるシース液粘性を有するシース液を、フローセルの流路に沿って流すことと、シース液に包まれた試料流体ストリームを提供するように、体液試料をフローセル内の流れるシース液に注入することとを、含む。方法はまた、粘性差異に関連する、シース液と試料流体ストリームとの間の相互作用によって誘発される粘性流体集束効果が、流路サイズの縮小部に関連する、シース液と試料流体ストリームとの間の相互作用によって誘発される幾何学的流体集束効果との組み合わせで、シース液内の粘性剤が、試料流体ストリーム内の細胞の生存能を保持し、細胞が試料流体ストリームから流れるシース液に伸びる際に、細胞の構造及び内容物を無傷のままにする一方で、撮像部位での複数の粒子のうちの少なくともいくつかにおける目標撮像状態を提供することに効果的となるように、試料流体ストリーム及びシース液を流路サイズの縮小部を通して撮像部位に向かって流すことも含み得る。更に、方法は、撮像部位にて複数の粒子を撮像することを含み得る。いくつかの実施形態では、体液試料は、尿試料である。
【誤訳訂正７】
【訂正対象書類名】明細書
【訂正対象項目名】００２７
【訂正方法】変更
【訂正の内容】
【００２７】
更に別の態様では、本発明の実施形態は、試料流体粘性を有する体液試料内の複数の粒子の撮像システムを包含する。システムは、試料流体粘性とは既定の粘性差異範囲内の粘性差異で異なるシース液粘性を有するシース液との使用のために構成され得る。例示的なシステムは、流路サイズの縮小部を有する流路及び試料流体注入管を有するフローセルと、シース液の流れをフローセルの流路に沿って送るためにフローセルの流路と流体連通するシース液インプットと、体液試料の流れをフローセル内の流れるシース液に注入するようにフローセルの注入管と流体連通する体液流体試料インプットと、を含み得、よって、シース液及び試料流体が流路サイズの縮小部を通って撮像部位に向かって流れる際に、粘性差異に関連する、シース液と試料流体との間の相互作用によって誘発される粘性流体集束効果が、流路サイズの縮小部に関連する、シース液と試料流体との間の相互作用によって誘発される幾何学的流体集束効果との組み合わせで、シース液内の粘性剤が試料流体ストリーム内の細胞の生存能を保持し、細胞が試料流体ストリームから流れるシース液に伸びる際に、細胞の構造及び内容物を無傷のままにする一方で、撮像部位での複数の粒子のうちの少なくともいくつかにおける目標撮像状態を提供する。システムは、撮像部位にて複数の粒子を撮像する撮像デバイスを更に含み得る。いくつかの実施形態では、体液試料は、尿試料である。
【誤訳訂正８】
【訂正対象書類名】明細書
【訂正対象項目名】００２８
【訂正方法】変更
【訂正の内容】
【００２８】
上記したもの及び本発明の実施形態の多くの他の特徴及び付随する利点は、下記の実施形態への参照により、付随の図と共に考慮されると、明らかとなりより理解されるだろう。
本発明は、例えば、以下を提供する。
（項目１）
幾何学的流体集束のために構成される粒子分析システムを使用して粒子を撮像するための方法であって、前記粒子が体液試料内に含まれ、前記方法が、
前記粒子分析器のフローセルの流路に沿ってシース液を注入することと、
注入管に隣接する第１の厚さを有する試料流れストリームを提供するように、前記体液試料を前記試料流体注入管からある流量で前記フローセル内の前記流れるシース液に注入することであって、前記試料流れストリームの厚さが初期厚さから、画像捕捉部位に隣接する第２の厚さに縮小するように、前記フローセルの前記流路が流路サイズの縮小部を有する、前記体液試料を注入することと、
前記フローセルに対して固定された位置を有する撮像目標を撮像することによって、画像捕捉デバイスを焦点化することであって、前記撮像目標及び試料流れストリームが撮像軸に沿う既定の変位距離を画定する、画像捕捉デバイスを焦点化することと、
前記画像捕捉デバイスを用いて、前記流れストリーム内で、粒子特徴付け及び計数に好適な、前記フローセルの前記画像捕捉部位における、前記撮像軸に沿った、第１の試料からの第１の複数の粒子の焦点画像を取得することであって、前記画像捕捉デバイスが、前記焦点化工程及び前記既定の変位距離を使用して、前記試料流れストリーム上に焦点化される、第１の試料からの第１の複数の粒子の焦点画像を取得することと、を含み、
前記流路サイズの縮小部が、近位厚さを有する近位流路部分、及び前記近位厚さよりも小さい遠位厚さを有する遠位流路部分によって画定され、
前記試料流体注入管の下流端が、前記近位流路部分の遠位に位置付けられ、
前記シースと体液試料との間の速度差異が、前記流路サイズの縮小部及び前記試料の流量との組み合わせで、前記試料流体注入管から前記画像捕捉部位に前記試料内の細胞を４秒以内で送達することに効果的である、方法。
（項目２）
前記体液試料が、尿流体試料である、項目１に記載の方法。
（項目３）
前記試料流体が、前記試料流体注入管の出口ポートから前記画像捕捉部位の前記撮像軸まで約１．５秒で移動する、項目１に記載の方法。
（項目４）
前記流路サイズの縮小部が、前記試料流体ストリームの第１及び第２の厚さを二等分する横断面について、略対称的な、前記流路に沿って放射状に内向きに角度が付いた、前記流路の対向壁によって画定される、項目１に記載の方法。
（項目５）
前記フローセルが、シース液供給源から、前記撮像部位の前記流路に沿う前記シース液の第２の流れ方向に垂直な第１の流れ方向において、前記流路へと前記シース液を受容するように構成される、項目１に記載の方法。
（項目６）
前記撮像目標が、前記フローセル上に固定される、項目１に記載の方法。
（項目７）
前記体液試料が試料粘性を有し、前記シース液が前記試料粘性とは異なるシース液粘性を有する、項目１に記載の方法。
（項目８）
体液試料内の粒子を撮像するための、幾何学的流体集束を行う、粒子分析システムであって、
シース液の流れを送るために構成される流路を有するフローセルと、
前記流路と流体連通し、前記注入管に隣接する第１の厚さを有する試料流体ストリームを提供するように、前記試料を前記フローセル内の前記流れるシース液に注入するために構成される、試料流体注入システムであって、前記試料流体の厚さが初期厚さから画像捕捉部位に隣接する第２の厚さに縮小するように、前記フローセルの前記流路が、流路サイズの縮小部を有する、試料流体注入システムと、
前記フローセルの前記画像捕捉部位において、前記試料流体からの複数の前記粒子を撮像するように、前記画像捕捉部位と整列する、画像捕捉デバイスと、
前記フローセルに対する、前記画像捕捉デバイスの焦点面を設定するように構成される、焦点化機構と、
前記フローセルに対して固定された位置を有する撮像目標であって、前記撮像目標及び試料流れストリームが、前記撮像軸に沿う変位距離を画定する、撮像目標と、
プロセッサと、
前記変位距離を使用して、粒子特徴付け及び計数に好適な、前記画像捕捉デバイスの前記焦点状態を設定するように、前記焦点化機構を操作するために、前記プロセッサ上で実行される機械可読コードを組み入れる有形媒体を備える焦点化モジュールと、を備え、
前記試料流体が、約２〜４秒の範囲内の前記フローセルを通る移行時間を有するように、前記試料流体注入システムが、前記試料流体を送達するように構成される、システム。（項目９）
前記体液試料が、尿流体試料である、項目８に記載のシステム。
（項目１０）
前記流路サイズの縮小部が、前記試料流体ストリームの第１及び第２の厚さを二等分する横断面について、略対称的な、前記流路に沿って放射状に内向きに角度が付いた、前記流路の対向壁によって画定される、項目８に記載のシステム。
（項目１１）
前記フローセルが、シース液供給源から、前記撮像部位の前記流路に沿う前記シース液の第２の流れ方向に垂直な第１の流れ方向において、前記流路へと前記シース液を受容するように構成される、項目８に記載のシステム。
（項目１２）
前記撮像目標が、前記フローセル上に固定される、項目８に記載のシステム。
（項目１３）
前記体液試料が試料粘性を有し、前記シース液が前記試料粘性とは異なるシース液粘性を有する、項目８に記載のシステム。
（項目１４）
幾何学的流体集束のために構成される粒子分析システムを使用して体液試料内の粒子を撮像するための方法であって、前記粒子が、試料流体粘性を有する前記流体試料に含まれ、前記方法が、
前記流体試料が、流れストリーム厚さよりも大きい流れストリーム幅を有する試料流れストリーム内で流れるように、前記試料流体をフローセルに注入することであって、前記試料流れストリームが、流路サイズの縮小部を通って流れ、撮像軸を横断する、前記試料流体を注入することと、
前記フローセルに対して固定された位置を有する撮像目標を撮像することによって、画像捕捉デバイスを焦点化することと、
画像捕捉デバイスを用いて、前記流れストリーム内で、粒子特徴付け及び計数に好適な、前記粒子の焦点画像を取得することと、を含み、前記画像捕捉デバイスが、変位距離を使用して前記試料流れストリーム上に焦点化される、方法。
（項目１５）
前記体液試料が、尿試料である、項目１４に記載の方法。
（項目１６）
体液試料内の粒子を撮像するための、幾何学的流体集束を行う、粒子分析システムであって、
注入管を伴う流路及びそこを通る撮像軸を伴う撮像窓を有するフローセルであって、前記フローセルの前記流路が流路サイズの縮小部を有する、フローセルと、
前記注入管と流体連通する流体インプットであって、前記流体試料が、流れストリーム厚さよりも大きい流れストリーム幅を有する試料流れストリーム内を流れるように、前記流体試料をフローセルに注入するように構成される、流体インプットと、
画像捕捉デバイスと、
前記フローセルに対する、前記画像捕捉デバイスの焦点状態を設定するように構成される、焦点化機構と、
前記フローセルに対して固定された位置を有する撮像目標であって、前記撮像目標及び試料流れストリームが、前記撮像軸に沿う変位距離を画定する、撮像目標と、
プロセッサと、
前記変位距離を使用して、粒子特徴付け及び計数に好適な、前記画像捕捉デバイスの前記焦点状態を設定するように、前記焦点化機構を操作するために、前記プロセッサ上で実行される機械可読コードを組み入れる有形媒体を備える焦点化モジュールと、を備える、システム。
（項目１７）
前記体液試料が、尿試料である、項目１６に記載のシステム。
（項目１８）
複合した粘性及び幾何学的流体集束のために構成される粒子分析システムを使用して複数の粒子を撮像するための方法であって、前記粒子が、試料流体粘性を有する体液試料に含まれ、前記方法が、
フローセルの流路に沿ってシース液を流すことであって、前記シース液が、既定の粘性差異範囲内の粘性差異で前記試料流体粘性とは異なるシース液粘性を有する、シース液を流すことと、
前記シース液に包まれた試料流体ストリームを提供するように、前記体液試料を前記フローセル内の前記流れるシース液に注入することと、
前記粘性差異に関連する、前記シース液と前記試料流体ストリームとの間の相互作用によって誘発される粘性流体集束効果が、流路サイズの縮小部に関連する、前記シース液と前記試料流体ストリームとの間の相互作用によって誘発される幾何学的流体集束効果との組み合わせで、前記シース液内の粘性剤が、前記試料流体ストリーム内の細胞の生存能を保持し、前記細胞が前記試料流体ストリームから前記流れるシース液に伸びる際に、前記細胞の構造及び内容物を無傷のままにする一方で、前記撮像部位での前記複数の粒子のうちの少なくともいくつかにおける目標撮像状態を提供することに効果的となるように、前記試料流体ストリーム及び前記シース液を前記流路サイズの縮小部を通して撮像部位に向かって流すことと、
前記撮像部位にて前記複数の粒子を撮像することと、を含む、方法。
（項目１９）
前記体液試料が、尿試料である、項目１８に記載の方法。
（項目２０）
試料流体粘性を有する体液試料内の複数の粒子を撮像するためのシステムであって、前記システムが、既定の粘性差異範囲内の粘性差異で前記試料流体粘性とは異なるシース液粘性を有するシース液との使用のためのものであり、前記システムが、
流路及び試料流体注入管を有する、フローセルであって、前記流路が、流路サイズの縮小部を有する、フローセルと、
前記シース液の流れを前記フローセルの前記流路に沿って送るように、前記フローセルの前記流路と流体連通する、シース液インプットと、
前記シース液及び前記試料流体が、前記流路サイズの縮小部を通って撮像部位に向かって流れる際に、前記粘性差異に関連する、前記シース液と前記試料流体との間の相互作用によって誘発される、粘性流体集束効果が、前記流路サイズの縮小部に関連する、前記シース液と前記試料流体との間の相互作用によって誘発される、幾何学的流体集束効果との組み合わせで、前記シース液内の粘性剤が、前記試料流体ストリーム内の細胞の生存能を保持し、前記細胞が前記試料流体ストリームから前記流れるシース液に伸びる際に、前記細胞の構造及び内容物を無傷のままにする一方で、前記撮像部位にて前記複数の粒子のうちの少なくともいくつかにおいて目標撮像状態を提供するように、前記体液試料の流れを、前記フローセル内の前記流れるシース液に注入するように、前記フローセルの前記注入管と流体連通する、体液試料インプットと、
前記撮像部位にて前記複数の粒子を撮像する撮像デバイスと、を備える、システム。
（項目２１）
前記体液試料が、尿試料である、項目２０に記載のシステム。
【誤訳訂正９】
【訂正対象書類名】明細書
【訂正対象項目名】００３５
【訂正方法】変更
【訂正の内容】
【００３５】
試料流体は、試料供給管２９の遠位端２８の平坦な開口部を通って、ＰＩＯＡＬの流れが実質的に確立された点にてフローセル２２の内部へと注入され、リボン形状の試料ストリームの上及び下の（又は対向側の）ＰＩＯＡＬの、安定かつ対称的な層流をもたらす。試料及びＰＩＯＡＬストリームは、実質的に狭細化する流路に沿って、注入された試料流体と共にＰＩＯＡＬを移動させる、精密計量ポンプによって供給され得る。ＰＩＯＡＬは、流路が狭細化する帯域２１において、試料流体を包み圧縮する。したがって、帯域２１での流路厚さの縮小部は、試料ストリーム３２の幾何学的集束に寄与し得る。試料流体リボン３２は、狭細帯域２１の下流で、ＰＩＯＡＬと共に包まれ、かつ運ばれ、例えば、ＣＣＤ  ４８を使用して、画像が収集される高光学解像度撮像デバイス２４の前を通るか、又は別の方法では、その表示帯域２３を通過する。プロセッサ１８は、ＣＣＤ  ４８からピクセルデータを入力として受信することができる。試料流体リボンは、ＰＩＯＡＬと共に排出部３３へと流れる。
【誤訳訂正１０】
【訂正対象書類名】明細書
【訂正対象項目名】００９５
【訂正方法】変更
【訂正の内容】
【００９５】
試料流体ストリーム４２８は、注入管４１２に隣接する第１の厚さＴ１（例えば、図４Ａを参照）を有する。フローセルの流路４２２は、流路サイズの縮小部を有するため、試料流体ストリーム４２８の厚さは、初期厚さＴ１から画像捕捉部位４３２に隣接する第２の厚さＴ２に縮小する。画像捕捉デバイス４３０は、フローセル４２０の画像捕捉部位４３２にて、第１の試料流体からの第１の複数の粒子を撮像するように、画像捕捉部位４３２と整列する。
【誤訳訂正１１】
【訂正対象書類名】明細書
【訂正対象項目名】００９９
【訂正方法】変更
【訂正の内容】
【００９９】
したがって、本発明の実施形態は、尿試料内の粒子の撮像のために、複合した粘性及び幾何学的流体集束を行う、粒子分析システムを包含する。例示的なシステムは、注入管及びそこを通る撮像軸を伴う撮像窓を伴う、流路を有するフローセルを含み得る。フローセルの流路は、流路サイズの縮小部を有し得る。更に、分析器システムは、流路と流体連通するシース液インプットと、注入管と流体連通する尿インプットとを含み得る。尿インプットは、試料流れストリーム内の尿試料が、流れストリームの厚さよりも大きい流れストリームの幅で流れるように、尿試料をフローセル内の流れるシース液に注入するために構成され得る。シース液は、尿試料の粘性よりも高い粘性を有し得る。更に、分析器システムは、画像捕捉デバイスと、フローセルに対する画像捕捉デバイスの焦点面を設定する焦点化機構とを含み得る。更に、システムは、フローセルに対して固定された位置を有する撮像目標を含み得、ここにおいて撮像目標及び試料流れストリームは、撮像軸に沿う変位距離を画定する。システムは、プロセッサと、変位距離を使用して、粒子特徴付け及び計数に好適な、画像捕捉デバイスの焦点状態を設定するために、焦点化機構を操作するために、プロセッサ上で実行される機械可読コードを組み入れる有形媒体を有する焦点化モジュールと、もまた含み得る。シース液と尿試料との間の粘性差異は、流路サイズの縮小部との組み合わせで、尿試料内の細胞の生存能を保持する一方で、撮像軸にて第１及び第２の試料流体を流体集束させることに効果的であり得る。いくつかの場合では、焦点化機構は、画像捕捉デバイスとフローセルとの間の距離を調節するように構成される駆動モータを含み得る。
【誤訳訂正１２】
【訂正対象書類名】明細書
【訂正対象項目名】０１０１
【訂正方法】変更
【訂正の内容】
【０１０１】
結果的に、本発明の実施形態は、試料流体粘性を有する尿試料４２４内の複数の粒子の撮像のためのシステム４００を包含する。システム４００は、試料流体粘性とは既定の粘性差異範囲内の粘性差異で異なるシース液粘性を有する、シース液４２６と共に使用され得る。システム４００は、流路４２２及び試料流体注入管４１２を有する、フローセル４２０を含み得る。流路４２２は、流路サイズの縮小部又は狭細遷移帯域を有し得る。更に、システム４００は、シース液の流れをフローセル４２０の流路４２２に沿って送るために、フローセル４２０の流路４２２と流体連通するシース液インプット４０１を含み得る。システム４００は、尿試料の流れ又はストリーム４２８を、フローセル４２０内の流れるシース液４２８に注入するために、フローセル４２０の注入管４１２と流体連通する、尿試料インプット４０２もまた含み得る。例えば、試料流体４２４は、カニューレ４１２の遠位出口ポート４２３から、流れるシース液４２６のエンベロープ内に出ることができ、そこで試料リボン４２８を形成する。
【誤訳訂正１３】
【訂正対象書類名】明細書
【訂正対象項目名】０１０２
【訂正方法】変更
【訂正の内容】
【０１０２】
シース液４２６が、試料流体４２４から形成された試料流体リボン４２８と共に、流路サイズの縮小部４１９を通って撮像部位４３２に向かって流れる際に、粘性差異に関連する、シース液４２６と試料流体４２４との間の相互作用によって誘発される粘性流体集束効果が、流路サイズの縮小部に関連する、シース液４２６と試料流体４２４との間の相互作用によって誘発される幾何学的集束効果との組み合わせで、撮像部位４３２にて複数の粒子のうちの少なくともいくつかにおける目標撮像状態を提供する。ここに示すように、システム４００は、撮像部位４３２にて複数の粒子を撮像する、撮像デバイス４３０もまた含む。
【誤訳訂正１４】
【訂正対象書類名】明細書
【訂正対象項目名】０１０３
【訂正方法】変更
【訂正の内容】
【０１０３】
図４Ａに描写するフローセルの実施形態に示すように、流路サイズの縮小部（例えば、遷移帯域４１９ａの）は、流路４２２ａの対向壁４２１ａ、４２３ａによって画定され得る。対向壁４２１ａ、４２３ａは、流路４２２ａに沿って半径方向内側に角度があり得、概して試料流体ストリーム４２８ａを二等分する横断面４５１ａについて対称である。面４５１ａは、試料ストリームが第１の厚さＴ１を有する試料ストリーム４２８ａを、試料ストリーム４２８ａがカニューレ又は試料注入管４１２ａの遠位部分４２７ａを出る位置にて、二等分し得る。同様に、面４５１ａは、試料ストリームが第２の厚さＴ２を有する試料ストリーム４２８ａを、試料ストリーム４２８ａが画像捕捉部位４３２ａを過ぎる位置にて二等分する。いくつかの実施形態に従い、第１の厚さＴ１は約１５０μｍの値を有し、第２の厚さＴ２は約２μｍの値を有する。かかる場合は、試料リボンストリームの圧縮比率は、７５：１である。いくつかの実施形態に従い、第１の厚さＴ１は、約５０μｍ〜約２５０μｍの範囲内の値を有し、第２の厚さＴ２は、約２μｍ〜約１０μｍの範囲内の値を有する。試料ストリーム流体が、フローセルを通って流れる際に、加速するに伴ってリボンは薄くなり、伸張する。フローセルの２つの特徴が試料流体リボンを薄くすることに寄与し得る。１つ目に、シース液エンベロープと試料流体リボンとの間の速度差異がリボンの厚さを低減させるために動作し得る。２つ目に、遷移帯域の先細り形状がリボンの厚さを低減させるために動作し得る。図４Ａに描写するように、カニューレ４１２ａの遠位出口ポート４１３ａは、狭細遷移帯域４１９ａの長さに沿う中央位置に位置付けられ得る。いくつかの場合では、遠位出口ポートは、遷移帯域４１９ａの開始部（近位部分４１５ａ）のより近くに位置付けられ得る。いくつかの場合では、遠位出口ポートは、遷移帯域４１９ａの終結部（遠位部分４１６ａ）のより近くに位置付けられ得る。いくつかの場合では、遠位出口ポート４１３ａは、例えば、図３Ａ（遠位出口ポート３３１が狭細遷移帯域の近位に配設される）に描写するように、遷移帯域４１９ａの完全に外部に位置付けられ得る。
【誤訳訂正１５】
【訂正対象書類名】明細書
【訂正対象項目名】０１０５
【訂正方法】変更
【訂正の内容】
【０１０５】
典型的に、第１の厚さＴ１は、試料粒子のサイズよりもはるかに大きく、よって該粒子は試料リボンストリーム内に完全に含有される。しかしながら、第２の厚さＴ２は、特定の試料粒子のサイズよりも小さくあり得、よってそれらの粒子は試料流体から周りのシース液へ及び得る。図４Ａに示すように、試料リボンストリームは、カニューレを出て画像捕捉部位に向かって移動する際に、概して試料面に沿って流れ得る。
【誤訳訂正１６】
【訂正対象書類名】明細書
【訂正対象項目名】０１１２
【訂正方法】変更
【訂正の内容】
【０１１２】
いくつかの実施形態に従い、流路サイズの（例えば、流路遷移帯域４１９ａでの）縮小部における対称性は、尿試料内の粒子の不整列を制限するために動作する。例えば、かかる対称性は、尿試料内の赤血球撮像配向不整列を、約２０％未満に制限することに効果的であり得る。
【誤訳訂正１７】
【訂正対象書類名】明細書
【訂正対象項目名】０１２３
【訂正方法】変更
【訂正の内容】
【０１２３】
場合によっては、フローセルは、約５０：１の最小圧縮比率及び約１２５：１の最大圧縮比率を有し得る。いくつかの場合では、最小圧縮比率は、約３０：１又は２０：１であり得る。この圧縮比率は、図４Ａ−１を図４Ａ−２と比較したときの、流れストリームの厚さの比率Ｈ（Ｓ）：Ｈ（Ｓ）を指す。この圧縮比率は、幾何学的圧縮（例えば、図４Ａ−１を図４Ａ−２と比較したときの、シース液厚さの比率Ｈ（Ｐ）：Ｈ（Ｐ）であり、図４Ａに示すフローセル狭細先細り遷移帯域４１９ａの寸法にもまた概して対応し得る）及び流体力学圧縮（例えば、速度差異にもまた対応する）の組み合わせによって影響され得る。いくつかの実施形態に従い、幾何学的圧縮比率は約４０：１である。
【誤訳訂正１８】
【訂正対象書類名】明細書
【訂正対象項目名】０１２４
【訂正方法】変更
【訂正の内容】
【０１２４】
遷移帯域に対応する流路サイズの縮小部は、近位厚さ又は高さを有する近位流路部分と、近位厚さ又は高さよりも小さい遠位厚さ又は高さを有する遠位流路部分とによって画定され得る。例えば、図４Ｂ−１及び４Ｂ−２の部分図に示すように、流路の遷移帯域４１９ｂは、近位部分４１５ｂと遠位部分４１６ｂとの間に長さＬを有し得、近位部分４１５ｂは近位高さ４１７ｂを有し、遠位部分４１６ｂは遠位高さ４１８ｂを有する。図４Ｂ−２に描写するように、及び本明細書の他の箇所で記載されるように、遷移帯域の形状又は輪郭は曲線又は滑らかであり得、例えば、Ｓ曲線、Ｓ字状曲線、又は正接曲線の形状で提供され得る。いくつかの実施形態に従い、近位高さ４１７ｂは約６０００μｍの値を有する。いくつかの場合では、近位高さ４１７ｂは、約３０００μｍ〜約８０００μｍの範囲内の値を有する。いくつかの実施形態に従い、遠位高さ４１８ｂは、約１５０μｍの値を有する。いくつかの場合では、遠位高さ４１８ｂは、約５０μｍ〜約４００μｍの範囲内の値を有する。
【誤訳訂正１９】
【訂正対象書類名】明細書
【訂正対象項目名】０１３４
【訂正方法】変更
【訂正の内容】
【０１３４】
図４Ｋに示すように、試料流体ストリームの厚さＴの粒子（赤血球）の厚さに対する比率は、約１：１である。いくつかの実施形態に従い、画像捕捉部位での試料流体ストリームの厚さＴの、粒子のうちの１つのサイズに対する比率は、０．２５〜２５の範囲内である。いくつかの場合では、厚さＴは、０．５μｍ〜５μｍの範囲内の値を有し得る。
【誤訳訂正２０】
【訂正対象書類名】明細書
【訂正対象項目名】０１４０
【訂正方法】変更
【訂正の内容】
【０１４０】
いくつかの実施形態に従い、シース液と試料流体との間の粘性差異は、白血球等の細胞内に存在する小器官又は他の細胞内特徴を整列させるために動作することができる。いかなる特定の理論にも拘束されることなく、シース液と試料流体との間の粘性差異に関連するせん断力は、細胞内特徴を整列させるために白血球上で作用し得ると考えられる。いくつかの場合では、シース液と試料流体との間の粘性差異に関連するせん断力は、かかる整列に寄与し得る。これらの整列効果は、粒子と試料流体リボンとの間のサイズの差異によっても同様に影響され得る。例えば、粒子の一部が試料流体リボンを出て周りのシース液に伸びる場合、粘性差異に関連するせん断力は、細胞内特徴整列上に顕著な効果を有し得る。
【誤訳訂正２１】
【訂正対象書類名】明細書
【訂正対象項目名】０１４８
【訂正方法】変更
【訂正の内容】
【０１４８】
本明細書の他の箇所で述べたように、並びに図４Ｋ及び４Ｌを参照すると、シース液及び試料流体Ｒが流路サイズの縮小部又はフローセルの遷移帯域を通って、撮像部位４３２ｋ又は４３２ｌに向かって流れる際に、シース液粘性と試料流体粘性との間の粘性差異に関連する、シース液と試料流体Ｒとの間の相互作用によって誘発される粘性流体集束効果が、流路サイズの縮小部又は遷移帯域に関連する、シース液と試料流体Ｒとの間の相互作用によって誘発される幾何学的流体集束効果との組み合わせで、撮像部位４３２ｋ又は４３２ｌでの複数の粒子のうちの少なくともいくつかにおいて、目標撮像状態を提供する。
【誤訳訂正２２】
【訂正対象書類名】明細書
【訂正対象項目名】０１５４
【訂正方法】変更
【訂正の内容】
【０１５４】
本明細書の他の箇所で述べたように、及び図４Ｍ及び４Ｎを参照すると、シース液及び試料流体Ｒがフローセルの流路サイズの縮小部又は遷移帯域を通って、画像捕捉デバイス４３０ｍ又は４３０ｎの撮像部位に向かって流れる際に、シース液粘性と試料流体粘性との間の粘性差異に関連する、シース液と試料流体Ｒとの間の相互作用によって誘発される粘性流体集束効果は、流路サイズの縮小部又は遷移帯域に関連する、シース液と試料流体Ｒとの間の相互作用によって誘発される幾何学的流体集束効果との組み合わせで、撮像部位での複数の粒子のうちの少なくともいくつかにおいて目標撮像状態を提供する。いくつかの実施形態に従い、目標撮像状態は撮像状態の分布に対応し得る。
【誤訳訂正２３】
【訂正対象書類名】明細書
【訂正対象項目名】０１５６
【訂正方法】変更
【訂正の内容】
【０１５６】
フローセルを通って流れる試料流体の画像を使用して、様々な検尿又は尿粒子分析技術のうちの任意のものが行われ得る。多くの場合、画像分析は、特定の細胞若しくは粒子パラメータの決定、又は特定の細胞若しくは粒子特徴の、測定、検出、若しくは評価を含み得る。例えば、画像分析は、細胞又は粒子サイズ、細胞核特徴、細胞質特徴、細胞内小器官特徴等の評価を含み得る。関連して、分析技術は、特定の計数若しくは分類方法、又は診断試験を包含し得る。関連して、図４を参照すると、プロセッサ４４０は、プロセッサによって実行されると、システム４００に、画像捕捉デバイスから得られた画像に基づき、異なる種類の細胞又は粒子を鑑別させるように構成されるコンピュータアプリケーションを有する記憶媒体を、含むか又はそれと動作可能に関連し得る。例えば、診断又は試験技術は、尿内に存在する様々な粒子（例えば、赤血球、白血球、扁平上皮細胞、円柱、結晶、又は酵母）を鑑別するために使用され得る。
【誤訳訂正２４】
【訂正対象書類名】明細書
【訂正対象項目名】０１８１
【訂正方法】変更
【訂正の内容】
【０１８１】
フローセルの流路は、流路サイズの縮小部を有し、よって、流路サイズの縮小部を通り撮像部位に向かう、試料流体ストリーム及びシース液の厚さは、初期厚さから画像捕捉部位に隣接する第２の厚さに低減する。方法６００は、工程６４０によって示されるように、第１の試料流体からの第１の複数の粒子をフローセルの画像捕捉部位において、撮像することを更に含み得る。試料ストリーム及びシース液が流路サイズの縮小部又は遷移帯域を通過する際に、粘性差異に関連する、シース液と試料流体ストリームとの間の相互作用によって誘発される粘性流体集束効果（工程６５０に示す通り）が、流路サイズの縮小部に関連する、シース液と試料流体ストリームとの間の相互作用によって誘発される幾何学的流体集束効果（工程６６０に示す通り）との組み合わせで、撮像部位にて複数の粒子のうちの少なくともいくつかにおける目標撮像状態を提供することに効果的となり、一方で、工程６７０によって示されるように、シース液内の粘性剤が、細胞が試料流体ストリームから流れるシース液に伸びる際に、細胞の構造及び内容物を無傷のままにする。方法はまた、工程６８０によって示されるように、撮像部位にて複数の粒子を撮像することも含み得る。
【誤訳訂正２５】
【訂正対象書類名】明細書
【訂正対象項目名】０１８８
【訂正方法】変更
【訂正の内容】
【０１８８】
表示帯域におけるリボン形状の試料ストリームの寸法は、ＰＩＯＡＬ流路の幾何学的厚さ減少、並びに試料流体及びＰＩＯＡＬの差異線速度によって影響され、リボン形状の試料ストリームの厚さ減少及び伸張をもたらす。使用のＰＩＯＡＬに対する初期差異線速度は、０．５：１〜５：１の範囲であり得る。ＰＩＯＡＬ流路断面は、約１０：１、１５：１、２０：１、２５：１、３０：１、３５：１、４０：１、４５：１、５０：１、５５：１、６０：１、６５：１、７０：１、７５：１、８０：１、８５：１、９０：１、９５：１、１００：１、１０５：１、１１０：１、１１５：１、１２５：１、１３０：１、１４０：１、１５０：１、１６０：１、１７０：１、１８０：１、１９０：１、又は２００：１の係数で、深さを低減することにより、薄くなり得る。一実施形態では、幾何学的厚さ減少は、４０：１である。一実施形態では、幾何学的厚さ減少は、３０：１である。考慮される因子は、フローセルを通る遷移時間、試料処理能力の所望の比率、粒子のサイズに同等なリボン形状の試料ストリーム厚さの達成、粒子及び小器官の整列を得ること、焦点化した粒子の内容物の達成、動作制限内での圧力、流れ、及び粘性の均衡、リボン形状の試料ストリームの厚さを最適化すること、所望の線速度を得ること、製造能力の考慮、必要とされる試料及びＰＩＯＡＬの容積である。
【誤訳訂正２６】
【訂正対象書類名】明細書
【訂正対象項目名】０２１３
【訂正方法】変更
【訂正の内容】
【０２１３】
図９Ａは、本発明の実施形態に従う、例示的な自動焦点目標９００を描写する。ここに示すように、目標９００は、不透明環状バンド９１０及び透明な中心部又は開口部９２０を含む。動作において、撮像デバイスはバンド９１０上に焦点化し、開口部を通して画像を捕捉する。本明細書の他の箇所で及び同時係属の米国特許出願第＿＿＿＿号に記載されるように、画像捕捉プロセスは、バンド９１０上の第１の焦点化（又は自動焦点化）、及びその後、開口部９２０を通して画像を取得する前の、画像捕捉デバイスと試料流体ストリームとの間の距離の調節を含み得る。結果的に、バンド９１０は、画像捕捉デバイスの自動焦点化システムが検出及び焦点化することができる目標を提供し、目標の特定の部分（例えば、縁又はセグメント）が画像内に含まれ得る。いくつかの場合では、目標は中央開口部を有するクロムディスクとして提供され得る。例示的な目標には、約０．５ｍｍの直径を有し、フローセルに接着剤で付けられた又は固定された、中央ピンホールが提供され得る。中央ピンホール又は開口部９２０のサイズは、図９Ｂに示すように、不透明環状バンド９１０の４つの縁部分９３０のみが、捕捉画像９４０において可視的となるように、選択され得る。したがって、環状バンド９１０は、細胞画像の捕捉を妨害することがない（例えば、試料粒子を照射するために、光は開口部９２０を通過することができ、視野は環状バンドによって実質的に妨害されない）。このように、バンド９１０は画像の角においてのみ現れる。
【誤訳訂正２７】
【訂正対象書類名】明細書
【訂正対象項目名】０２２３
【訂正方法】変更
【訂正の内容】
【０２２３】
焦点画像
図１４Ａ及び１４Ｂは、本発明の実施形態に従う、撮像システム及び方法の態様を示す断面側面図を提供する。図１４Ａを参照すると、尿試料分析器等の粒子分析システム１４００ａは、例えば、本明細書に記載されるもの等のフローセル及び粘性シース液技術を使用する、粘性及び／又は幾何学的流体集束のために構成され得る。粒子分析システムを使用する、尿試料内の粒子の撮像の例示的な方法は、シース液１４１０ａを、粒子分析システムのフローセル１４３０ａの流路１４２０ａに沿って流すことを含み得る。流路１４２０ａは、フローセルの対向フローセル壁１４２２ａ、１４２４ａによって少なくとも部分的に画定され得る。シース液１４１０ａは、尿試料の粘性とは異なる粘性を有し得る。撮像方法は、尿試料流体が試料流れストリーム１４４０ａ内で流れるように、尿試料をフローセル１４３０ａ内の流れるシース液１４１０ａに注入することを更に含み得る。試料流れストリーム１４４０ａは、流れストリーム厚さよりも大きい流れストリーム幅を有し得る。試料流れストリーム１４４０ａは、更に流路サイズの縮小部を通って流れ得、撮像軸１４５０ａを横断し得る。図１４Ａの実例では、流れの方向は左から右である。
【誤訳訂正２８】
【訂正対象書類名】明細書
【訂正対象項目名】０２２５
【訂正方法】変更
【訂正の内容】
【０２２５】
画像捕捉デバイス１４６０ａは、変位距離を使用して試料流れストリーム１４４０ａ上に焦点化され得る。例えば、変位距離は試料流れストリーム１４４０ａと撮像目標１４７０ａとの間の距離Ｄに対応し得る。シース液１４１０ａと尿試料との間の粘性差異は、流路サイズの縮小部との組み合わせで、尿試料内の細胞の生存能を保持する一方で、試料流れストリーム１４４０ａ内の試料流体を、撮像軸１４５０ａにて流体集束させることに効果的である。例えば、粘性差異に関連する、シース液１４１０ａと試料流体ストリーム１４４０ａとの間の相互作用によって誘発される粘性流体集束効果は、流路サイズの縮小部に関連する、シース液１４１０ａと試料流体ストリーム１４４０ａとの間の相互作用によって誘発される幾何学的流体集束効果との組み合わせで、シース液１４１０ａ内の粘性剤が試料流体ストリーム１４４０ａ内の細胞の生存能を保持し、細胞が試料流体ストリーム１４４０ａから流れるシース液１４１０ａに伸びる際に、細胞の構造及び内容物を無傷のままにする一方で、撮像軸１４５０ａにて流体試料粒子のうちの少なくともいくつかにおける目標撮像状態を提供することに効果的となり得る。
【誤訳訂正２９】
【訂正対象書類名】明細書
【訂正対象項目名】０２３９
【訂正方法】変更
【訂正の内容】
【０２３９】
別途明記しない限り、本開示内での「粒子」（１つ又は複数）への言及は、流体内に分散した任意の離散的又は有形物体を包含するということが理解され得る。本明細書で使用される場合、「粒子」は、生体液内の、全ての（例えば、画像及び／又は他の測定可能なパラメータによって）測定可能でかつ検出可能な成分を含み得る。該粒子は任意の物質、任意の形状、及び任意のサイズである。特定の実施形態では、粒子は細胞を含み得る。粒子の例は、血球、胎児細胞、上皮、幹細胞、腫瘍細胞、若しくは細菌、寄生虫、又は前述のいずれかの断片若しくは生体液内の他の断片を含む細胞を含むが、これらに限定されない。血球は、任意の血球であってよく、生体液内に潜在的に存在する、任意の正常又は異常、成熟又は未熟細胞、例えば、赤血球（ＲＢＣ）、白血球（ＷＢＣ）、血小板（ＰＬＴ）、及び他の細胞を含む。該メンバは、未熟又は異常細胞もまた含む。未熟ＷＢＣは、後骨髄球、骨髄球、前骨髄球、及び芽球を含み得る。成熟ＲＢＣに加え、ＲＢＣのメンバは、有核ＲＢＣ（ＮＲＢＣ）、正常又は異常ＲＢＣ、及び網状赤血球を含み得る。ＰＬＴは、「巨大」ＰＬＴ及びＰＬＴ凝集塊を含み得る。血球及び形成成分は、本開示の他の箇所に更に記載される。
【誤訳訂正３０】
【訂正対象書類名】明細書
【訂正対象項目名】０２９２
【訂正方法】変更
【訂正の内容】
【０２９２】
表示帯域におけるリボン形状の試料ストリームの寸法は、ＰＩＯＡＬ流路の幾何学的厚さ減少、並びに試料流体及びＰＩＯＡＬの差異線速度によって影響され、リボン形状の試料ストリームの厚さ減少及び伸張をもたらす。試料のＰＩＯＡＬに対する初期線速度比率は、０．５〜５．０の範囲であり得る。ＰＩＯＡＬ流路断面は、約５：１、１０：１、１５：１、２０：１、２５：１、３０：１、３５：１、４０：１、４５：１、５０：１、５５：１、６０：１、６５：１、７０：１、７５：１、８０：１、８５：１、９０：１、９５：１、１００：１、１０５：１、１１０：１、１１５：１、１２５：１、１３０：１、１４０：１、１５０：１、１６０：１、１７０：１、１８０：１、１９０：１、又は２００：１の係数での流路の断面積の低減に到達するために、深さを低減することにより薄くなり得る。一実施形態では、この幾何学的厚さ減少は、４０：１である。考慮される因子は、フローセルを通る遷移時間、試料処理能力の所望の比率、粒子のサイズに同等なリボン形状の試料ストリーム厚さの達成、粒子及び小器官の整列を得ること、焦点化した粒子の内容物の達成、動作制限内での圧力、流れ、及び粘性の均衡、リボン形状の試料ストリームの厚さを最適化すること、所望の線速度を得ること、製造能力の考慮、必要とされる試料及びＰＩＯＡＬの容積である。
【誤訳訂正３１】
【訂正対象書類名】明細書
【訂正対象項目名】０３３８
【訂正方法】変更
【訂正の内容】
【０３３８】
「異常」細胞又は粒子への言及は、特定の疾患若しくは病態に関連付けられるもの、又は、場合によっては特定の疾患又は病態に関連付けられ得る不規則性を、包含するということが理解され得る。粒子のサイズ、形状、色、質における変化、及び／又は細胞内構造は、特定の疾患若しくは病態、又はそれらの欠如に関連付けられ得る。
【誤訳訂正３２】
【訂正対象書類名】明細書
【訂正対象項目名】０４８２
【訂正方法】変更
【訂正の内容】
【０４８２】
一実施形態では、少なくとも１つの該デジタルプロセッサは、赤血球（ＲＢＣ）、異形赤血球、白血球（ＷＢＣ）、好中球、リンパ球、食細胞、好酸球、好塩基球、扁平上皮細胞、移行上皮細胞、おとり細胞、尿細管上皮細胞、円柱、結晶、細菌、酵母、寄生虫、楕円脂肪体、脂肪滴、精子、粘液、トリコモナス、細胞凝集塊、及び細胞断片の、画像ベースの分類及び副分類を行うように、更に構成される。一実施形態では、少なくとも１つの該デジタルプロセッサは、自動焦点化再開信号を検出するように更に構成され、ここにおいて自動焦点再開信号は、温度の変化、焦点化の質、時間、又はユーザ入力の低減、のうちの、少なくとも１つによって誘発される。一実施形態では、分析器は、厚さで２〜４μｍのリボン形状の試料ストリーム厚さを生成するために狭細化する、内部流路を有する。一実施形態では、該内部流路は、幅が５００〜３，０００μｍのリボン形状の試料ストリームをもたらす。一実施形態では、該内部流路は、幅が１５００〜２５００μｍのリボン形状の試料ストリームをもたらす。一実施形態では、分析器が構成され、ここにおいて試料内の粒子の線速度は、粒子が画像内で実質的にぼけないようなものである。一実施形態では、分析器が構成され、ここにおいて光源は、リボン形状の試料ストリーム及び自動焦点パターンを照射するように、更に構成される。